(57)【特許請求の範囲】
【請求項１】
主情報と付加情報とを多重させて受信装置に送信する送信装置において、
主情報をブロック化するブロック化部と、
主情報の各ブロックにおける内容に関連するブロック情報を設定するブロック情報設定部と、
主情報における送信済みのブロックにおけるブロック情報を累積して付加情報として設定する付加情報設定部と、
上記付加情報設定部が設定した付加情報を、主情報に多重させて送信する送信部とを有していることを特徴とする送信装置。
【請求項２】
主情報と付加情報とを多重させて受信装置に送信する送信装置において、
主情報における送信済みの部分に応じた付加情報を、主情報に多重させて送信する送信部を有し、
上記送信部は、
主情報をブロック化するブロック化部と、
主情報の各ブロックの概要を示す情報をブロック情報として設定するブロック情報設定部と、
主情報における送信済みのブロックにおける上記ブロック情報を累積して付加情報として設定する付加情報設定部とを有することを特徴とする送信装置。
【請求項３】
主情報と付加情報とを多重させて受信装置に送信する送信装置において、
主情報における送信済みの部分に応じた付加情報を、主情報に多重させて送信する送信部を有し、
上記送信部は、
主情報をブロック化するブロック化部と、
主情報の各ブロックの概要を示す概要情報をあらかじめ受信装置に送信しておく概要情報送信部と、
上記各ブロックの上記概要情報を特定するための第１識別子をブロック情報として設定するブロック情報設定部と、
主情報における送信済みのブロックにおける上記ブロック情報を累積して付加情報として設定する付加情報設定部とを有することを特徴とする送信装置。
【請求項４】
主情報と付加情報とを多重させて受信装置に送信する送信装置において、
主情報における送信済みの部分に応じた付加情報を、主情報に多重させて送信する送信部を有し、
上記送信部は、
主情報をブロック化するブロック化部と、
上記受信装置の接続可能なネットワーク上に備えられ、主情報の各ブロックの概要を示す概要情報が記憶されている概要情報記憶部と、
上記各ブロックの上記概要情報を特定するための第１識別子をブロック情報として設定するブロック情報設定部と、
主情報における送信済みのブロックにおけるブロック情報を累積して付加情報として設定する付加情報設定部とを有することを特徴とする送信装置。
【請求項５】
上記付加情報設定部は、所定のタイミングで、送信済みのブロックにおける一部あるいは全部のブロック情報を付加情報から削除するように設定されていることを特徴とする請求項１に記載の送信装置。
【請求項６】
主情報と付加情報とを多重させて受信装置に送信する送信装置において、
主情報における送信済みの部分に応じた付加情報を、主情報に多重させて送信する送信部を有し、
上記送信部は、
主情報をブロック化するブロック化部と、
上記受信装置の接続可能なネットワーク上に備えられ、主情報における各ブロックの概要を示す概要情報と、各ブロックの概要情報を特定するための第１識別子とが記憶されている概要情報記憶部と、
送信済みのブロックにおける上記概要情報に応じた上記第１識別子を特定する第２識別子を付加情報として設定する付加情報設定部とを有していることを特徴とする送信装置。
【請求項７】
請求項１あるいは２に記載の送信装置から送信される情報を受信するための受信装置において、
主情報および付加情報を出力可能な出力部と、
この出力部を制御して、主情報および付加情報を出力させる制御部とを備えていることを特徴とする受信装置。
【請求項８】
請求項３に記載の送信装置から送信される情報を受信するための受信装置において、主情報および付加情報を出力可能な出力部と、
上記各ブロックの概要を示す概要情報を記憶するための記憶部と、
付加情報として送信された第１識別子に応じた概要情報を記憶部から取得し、主情報とともに出力部に出力させる制御部とを備えていることを特徴とする受信装置。
【請求項９】
請求項４に記載の送信装置から送信される情報を受信するための受信装置において、
主情報および付加情報を出力可能な出力部と、
上記概要情報記憶部に接続可能なネットワーク部と、
このネットワーク部を制御して、付加情報として送信された第１識別子に応じた概要情報を概要情報記憶部から取得させ、主情報とともに出力部に出力させる制御部とを備えていることを特徴とする受信装置。
【請求項１０】
請求項６に記載の送信装置から送信される情報を受信するための受信装置において、
主情報および付加情報を出力可能な出力部と、
上記概要情報記憶部に接続可能なネットワーク部と、
このネットワーク部を制御して、付加情報として送信された第２識別子に応じた第１識別子を概要情報記憶部から取得させた後、この第１識別子に応じた概要情報を取得させ、取得した概要情報を主情報とともに出力部に出力させる制御部とを備えていることを特徴とする受信装置。
【請求項１１】
主情報と付加情報とを多重させて受信装置に送信する送信方法において、
主情報をブロック化するブロック化工程と、
主情報の各ブロックにおける内容に関連するブロック情報を設定するブロック情報設定工程と、
主情報における送信済みのブロックにおけるブロック情報を累積して付加情報として設定する付加情報設定工程と、
上記付加情報設定工程において設定した付加情報を、主情報に多重させて送信する送信工程とを有していることを特徴とする送信方法。
【請求項１２】
主情報と付加情報とを多重させて受信装置に送信する送信方法において、
主情報における送信済みの部分に応じた付加情報を、主情報に多重させて送信する送信工程を有し、
上記送信工程は、
主情報をブロック化するブロック化工程と、
主情報の各ブロックの概要を示す情報をブロック情報として設定するブロック情報設定工程と、
主情報における送信済みのブロックにおける上記ブロック情報を累積して付加情報として設定する付加情報設定工程とを有することを特徴とする送信方法。
【請求項１３】
主情報と付加情報とを多重させて受信装置に送信する送信方法において、
主情報における送信済みの部分に応じた付加情報を、主情報に多重させて送信する送信工程を有し、
上記送信工程は、
主情報をブロック化するブロック化工程と、
主情報の各ブロックの概要を示す概要情報をあらかじめ受信装置に送信しておく概要情報送信工程と、
上記各ブロックの上記概要情報を特定するための第１識別子をブロック情報として設定するブロック情報設定工程と、
主情報における送信済みのブロックにおける上記ブロック情報を累積して付加情報として設定する付加情報設定工程とを有することを特徴とする送信方法。
【請求項１４】
主情報と付加情報とを多重させて受信装置に送信する送信方法において、
主情報における送信済みの部分に応じた付加情報を、主情報に多重させて送信する送信工程を有し、
上記送信工程は、
主情報をブロック化するブロック化工程と、
主情報の各ブロックの概要を示す概要情報を特定するための第１識別子をブロック情報として設定するブロック情報設定工程と、
主情報における送信済みのブロックにおけるブロック情報を累積して付加情報として設定する付加情報設定工程とを有することを特徴とする送信方法。
【請求項１５】
主情報と付加情報とを多重させて受信装置に送信する送信方法において、
主情報における送信済みの部分に応じた付加情報を、主情報に多重させて送信する送信工程を有し、
上記送信工程は、
主情報をブロック化するブロック化工程と、
主情報における送信済みの各ブロックにおける概要を示す概要情報を特定するための第１識別子を特定する第２識別子を付加情報として設定する付加情報設定工程とを有することを特徴とする送信方法。
【発明の詳細な説明】
【０００１】
【発明の属する技術分野】
本発明は、主情報とともに付加情報を送信するための送信装置、この送信装置において用いられている送信方法、および、この送信装置によって送信された情報を受信する受信装置に関するものである。
【０００２】
【従来の技術】
近年のテレビジョン放送（テレビ放送）では、映像信号や音声信号からなるチャンネル主情報（主情報）に、付加情報を多重化させて送信できるように設定されている。付加情報とは、例えば、文字放送用の文字情報や番組関連情報（番組ガイド）等の補助的な情報であり、映像信号の垂直帰線期間等を利用して送信される。
【０００３】
受信機は、通常時には主情報を出力（表示）するようになっている。そして、ユーザーの要求に応じて、要求時刻に対応した付加情報を取り出し、出力できるように設定されている。
【０００４】
これにより、例えば、プロ野球中継を視聴している際、選手の打率データからなる付加情報を利用することによって、打席に入っているバッターの打率を知ることができる。このように、主情報を補助するような付加情報を用いることで、ユーザーは、主情報をより深く利用することが可能となる。
【０００５】
このような付加情報については、例えば、特開平６−４６３６６号公報や特開平６−３０３８７号公報に記載されている。これらの公報に記載の技術では、主情報のタイトルを示す情報を付加情報として設定している。そして、複数の主情報を記録しているテープを再生する際、テープ内における主情報のタイトルを画面表示することで、再生したい主情報を選択できるようになっている。
また、特開平１０−１５５１４０号公報には、主情報と付加情報（時刻情報）とを記録した後、時刻情報に基づいて、主情報の不要部分を削除できる構成が開示されている。
【０００６】
さらに、特開平５−８３２１６号公報には、主情報（番組）を識別するための信号を付加情報として用いる技術が開示されている。そして、受信時に番組の内容を識別し、特定の番組を自動的に記録できるようになっている。また、特開平５−９５５３４号公報には、付加情報として送信される交通情報等のリアルタイム情報を、受信機に電源が入っていない状態でも記録できる技術が記載されている。
【０００７】
また、上記のような付加情報とは別に、主情報の視聴を補助するための情報を、受信機側で作成できる構成も開発されている。例えば、特開平７−１５３９３号公報では、放送局が、人間にとって意味のある時間単位で主情報をまとめ、ブロック化して送信するように設定されている。
また、受信機は、主情報を通常出力するとともに、出力済みの主情報における音声信号を、ブロック単位で、一定期間だけ遅延記憶回路に記憶しておくようになっている。そして、ユーザーの指示に基づいて、記憶している音声信号を再生できるように設定されている。これにより、ユーザーは、出力済みの音声を再確認したい場合、あるいは、音声の一部を聞き漏らした場合に、その音声を改めて聞き直すことが可能となる。
【０００８】
【発明が解決しようとする課題】
しかしながら、上記した特開平７−１５３９３号公報に記載の技術では、記憶している音声信号をブロック単位で更新するように設定されているので、現在放送中のブロックにおける直前のブロックに関する音声信号しか再生できない。すなわち、この技術では、記憶されているブロックより前に放送された部分に関しては、番組内容を取得できなかった。
このため、ある番組を途中から視聴した場合等、聞き逃した部分が多い場合には、既に放送されている部分の理解には役立たなかった。
【０００９】
また、この技術において、遅延記憶回路の記憶容量を大きくして番組の全部を記憶できるようにすれば、上記のように途中から視聴した番組でも、その内容の理解に役立つ可能性はある。
【００１０】
しかしながら、この方式では、遅延記憶回路の製造・使用に関するコストがかかる。また、ユーザーは、番組の内容を把握するために、放送途中において、聞き逃した部分を全て再生する必要がある。このため、スポーツ中継のようにリアルタイム性の強い番組を視聴する際には実用的でない。
【００１１】
本発明は、上記のような従来の問題点を解決するために成されたものである。そして、その目的は、途中から視聴した場合でも、通信（番組）の内容を容易に把握することのできる送信装置、この送信装置において用いられている送信方法、および、この送信装置によって送信された情報を受信する受信装置に関するものである。
【００１２】
【課題を解決するための手段】
上記の目的を達成するために、本発明の送信装置（本送信装置）は、主情報と付加情報とを多重させて受信装置に送信する送信装置において、主情報における送信済みの部分に応じた付加情報を、主情報に多重させて送信する送信部を有していることを特徴としている。
【００１３】
本送信装置は、例えば、テレビジョン放送（テレビ放送）あるいはラジオ放送を行う放送局において、放送装置として用いられるものである。従って、本送信装置の構成における受信装置としては、いわゆるテレビ受信機やラジオ受信機等を挙げることができる。
【００１４】
そして、本送信装置では、主情報と付加情報とを多重させて送信できるように設定されている。主情報とは、例えばテレビ放送であれば、放送にかかる番組の音声情報および映像情報からなるチャンネル情報である。また、付加情報とは、文字放送用の文字情報等の補助的な情報であり、主情報における映像信号の垂直帰線期間等を利用して送信できるものである。
【００１５】
そして、特に、本送信装置では、送信部が、付加情報として、主情報における送信済みの部分に応じた情報を設定し、これを主情報とともに多重送信するように設定されている。
ここで、主情報における送信済みの部分とは、例えば、ある１日における全送信済み部分や、ある一連の通信内容（番組等）における送信済みの部分のことである。また、送信済みの部分に応じた情報とは、例えば、送信済み部分の内容を簡単にまとめた概要情報等のことである。
【００１６】
このように、本送信装置では、主情報における送信済み部分に関する情報を、付加情報として受信装置に与えるように設定されている。このため、受信装置のユーザーは、ある一連の通信内容（番組）を途中から受信（視聴）した場合でも、その内容を把握できるようになっている。
【００１７】
また、本送信装置の送信部は、主情報をブロック化するブロック化部と、主情報の各ブロックに応じたブロック情報を設定（作成）するブロック情報設定部と、主情報における送信済みブロックにおけるブロック情報を累積した情報を付加情報として設定する付加情報設定部とを有していることが好ましい。
この構成では、ブロック化部が、主情報をブロック化するように設定されている。このブロック化は、例えば、主情報の内容や送信時刻に基づいて行うことができる。
【００１８】
さらに、この構成では、ブロック情報設定部が、各ブロックに応じたブロック情報をあらかじめ作成しておくようになっている。そして、付加情報設定部が、送信済みブロックにおけるブロック情報を累積して付加情報とし、現在送信中の主情報に多重させて送信するように設定されている。
【００１９】
すなわち、この構成では、付加情報設定部が、送信済みのブロックにおけるブロック情報を集める（累積する）だけで、付加情報を設定（作成）できるようになっている。これにより、本送信装置では、主情報の送信済みの部分に関する付加情報を非常に容易に作成できる。
なお、この構成では、ブロックを構成する情報が一部でも送信されたブロック（送信中のブロック）についても、送信済みのブロックとして設定することが好ましい。
【００２０】
また、付加情報設定部は、所定のタイミングで、送信済みのブロックにおける一部あるいは全部のブロック情報を、付加情報から削除するように設定されていることが好ましい。ここで、所定のタイミングとしては、例えば、一連の通信（番組等）が終了したとき、あるいは１日の通信が終了したとき等を挙げることができる。
また、この構成におけるブロック情報としては、例えば、各ブロックの内容を簡単にまとめた概要情報（あらすじの情報）を挙げることができる。
【００２１】
また、上記したような構成の本送信装置に対応する受信装置としては、主情報および付加情報を出力可能な出力部と、この出力部を制御して、主情報および付加情報を出力させる制御部とを備えているものを用いることができる。また、この受信装置と本送信装置とを組み合わせることで、良好な通信システム（放送システム）を構築することが可能となる。
【００２２】
また、本送信装置の構成において、各ブロックの概要を示す概要情報をあらかじめ受信装置に送信しておいてもよい。この場合、ブロック情報としては、送信済みのブロックにおける概要情報を特定するための識別子（第１識別子）を設定することが好ましい。このようにすれば、主情報に多重させる付加情報（ブロック情報）のサイズを小さくできる。
【００２３】
なお、この構成に対応する受信装置としては、主情報および付加情報を出力（表示）可能な出力部と、各ブロックの概要を示す概要情報を記憶するための記憶部と、この記憶部を制御して、付加情報として送信された第１識別子に応じた概要情報を取得し、主情報とともに出力部に出力させる制御部とを備えているものを用いることができる。また、この受信装置と本送信装置とを組み合わせることで、良好な通信システムを構築することが可能となる。
【００２４】
また、受信装置の接続可能なネットワーク上に、各ブロックの概要を示す概要情報を記憶している概要情報記憶部を備えるようにしてもよい。この場合も、ブロック情報設定部は、各ブロックの概要情報を特定するための第１識別子をブロック情報として設定することが好ましい。この構成においても、主情報に多重させる付加情報のサイズを小さくできる。また、各ブロックの概要を示す概要情報を、あらかじめ受信装置に送信しておく必要がない。
【００２５】
また、この構成に対応する受信装置としては、主情報および付加情報を出力可能な出力部と、ネットワークを介して上記概要情報記憶部に接続可能なネットワーク部と、このネットワーク部を制御して、付加情報として送信された第１識別子に応じた概要情報を概要情報記憶部から取得させ、主情報とともに出力部に出力させる制御部とを備えているものを挙げることができる。また、この受信装置と本送信装置とを組み合わせることで、良好な通信システムを構築することが可能となる。
【００２６】
また、本送信装置の送信部に、主情報をブロック化するブロック化部と、受信装置の接続可能なネットワーク上に備えられ、主情報における各ブロックの概要を示す概要情報と各ブロックの概要情報を特定するための第１識別子とが記憶されている概要情報記憶部と、送信済みのブロックにおける概要情報に応じた第１識別子を特定する第２識別子を付加情報として設定する付加情報設定部とを備えるようにしてもよい。
【００２７】
上記の構成では、送信済みのブロックが多い場合、第１識別子の数も多くなる。このため、第１識別子をそのまま付加情報として用いると、付加情報のサイズが大きくなってしまう。そこで、上記の構成では、送信済みのブロックの概要情報に応じた第１識別子の群を特定するための第２識別子を付加情報として用いている。これにより、主情報に多重させる付加情報のサイズを、より小さく、かつ、一定に保つことが可能となる。
【００２８】
なお、この構成に対応する受信装置としては、主情報および付加情報を出力可能な出力部と、概要情報記憶部に接続可能なネットワーク部と、このネットワーク部を制御して、付加情報として送信された第２識別子に応じた第１識別子を概要情報記憶部から取得させた後、この第１識別子に応じた概要情報を取得させ、取得した概要情報を主情報とともに出力部に出力させる制御部とを備えているものを挙げることができる。また、この受信装置と本送信装置とを組み合わせることで、良好な通信システムを構築することが可能となる。
【００２９】
また、本発明の送信方法（本送信方法）は、主情報と付加情報とを多重させて受信装置に送信する送信方法において、主情報における送信済みの部分に応じた付加情報を、主情報に多重させて送信する送信工程を有していることを特徴とする方法である。
【００３０】
本送信方法は、上記した本送信装置において用いられている送信方法である。すなわち、本送信方法によれば、主情報の送信済み部分に関する情報を、付加情報として受信装置に与えるように設定されている。このため、受信装置のユーザーは、ある一連の通信内容を途中から受信した場合でも、その内容を把握できるようになっている。
【００３１】
また、本送信方法の送信工程は、主情報をブロック化するブロック化工程と、主情報の各ブロックに応じたブロック情報を設定するブロック情報設定工程と、主情報における送信済みのブロックにおけるブロック情報を累積して付加情報として設定する付加情報設定工程とを含んでいることが好ましい。
この方法では、付加情報設定工程において、送信済みのブロックにおけるブロック情報を集めるだけで、付加情報を設定できるようになっている。これにより、主情報における送信済みの部分に関する付加情報を、非常に容易に作成することが可能となる。
【００３２】
【発明の実施の形態】
〔実施の形態１〕
本発明における第１の実施形態について説明する。
図２は、本実施の形態にかかる放送システム（以下、本システムとする）の構成を示す説明図である。この図に示すように、本システムは、放送装置１と、受信装置２とから構成されている。
【００３３】
放送装置（送信装置，送信部）１は、アナログ方式の地上波放送によって、テレビジョン放送（テレビ放送）を行うための装置である。そして、図２に示すように、主情報出力部１１，付加情報出力部１２，多重送信部１３および出力アンテナ１４を備えている。
【００３４】
主情報出力部１１は、映像情報および音声情報からなるチャンネル主情報（以下、単に主情報とする）を放送するための放送信号（主情報信号）を出力するものである。
【００３５】
付加情報出力部（ブロック化部，ブロック情報設定部，付加情報設定部）１２は、主情報に応じた付加情報を作成して内部の記憶部（図示せず）に記憶する。そして、この付加情報を放送するための放送信号（付加信号）を多重送信部１３に出力するものである。
【００３６】
多重送信部１３は、これら主情報信号および付加信号を多重化して多重放送信号を作成し、出力アンテナ１４を介して外部に送信するものである。この多重送信部１３は、主情報における映像情報（映像信号）の垂直ブランキング期間における空き水平期間に付加情報を挿入することで、多重放送信号を作成するように設定されている。
【００３７】
図３は、受信装置２の構成を示す説明図である。受信装置２は、放送装置１から送信される多重放送信号を受信し、主情報および付加情報を出力するテレビジョン受信機である。そして、図３に示すように、受信アンテナ２０，受信部２１，分離部２２，合成部２３，出力部２４および指示入力部２５を備えている。
【００３８】
受信部２１は、受信アンテナ２０を介して多重放送信号に応じた放送電波を受信し、チャンネルデコードを行なうものである。分離部２２は、チャンネルデコードされた多重放送信号（多重化されたチャンネル信号）を付加情報と主情報とに分離するものである。
【００３９】
出力部２４は、主情報および付加情報に応じた出力データを入力して、これらの情報をユーザーに対して出力（表示）するための、液晶モニターおよびスピーカーからなる出力装置である。
【００４０】
合成部（制御部）２３は、分離部２２によって得られた主情報に応じた出力データを生成して出力部２４に送るものである。また、合成部２３は、後述する付加情報表示要求信号の伝達を受けて、主情報と付加情報とを合成した出力データを生成し、出力部２４に伝達する機能を有している。
【００４１】
指示入力部２５は、入力ボタンやスイッチ，赤外線センサー（全て図示せず）等のユーザーインターフェイスを備えており、ユーザーの指示を直接的・間接的に受け付ける機能を有するものである。特に、指示入力部２５は、ユーザーの指示を受けて、付加情報表示要求信号を合成部２３に送る機能を備えている。
【００４２】
次に、図３に示した受信装置２の受信動作について説明する。
図４は、受信装置２における動作を示すフローチャートである。この図に示すように、受信装置２の受信部２１は、放送装置１から多重放送信号を受信すると、この信号のチャンネルデコードを行ってチャンネル信号を生成する（Ｓ３１）。その後、分離部２２が、多重化されているチャンネル信号を、主情報と付加情報とに分離する（Ｓ３２）。
【００４３】
そして、合成部２３が、指示入力部２５から伝達される付加情報表示要求信号の有無に従って、ユーザーから付加情報の表示要求があるか否かを判断する（Ｓ３３）。すなわち、付加情報表示要求信号が伝達されていない場合には、合成部２３は、付加情報の表示要求がないと判断し、主情報だけに応じた出力データを出力部２４に出力する（Ｓ３５）。
【００４４】
一方、付加情報表示要求信号が伝達されているときには、合成部２３は、付加情報の表示要求があると判断し、主情報と付加情報とを合成して得られる出力データを出力部２４に出力する（Ｓ３４）。
【００４５】
なお、上記したように、指示入力部２５は、ユーザーの指示を受けて、付加情報表示要求信号を合成部２３に送るように設定されている。また、受信装置２では、ユーザーは、指示入力部２５に設けられている関連情報出力ボタン（図示せず）の押下などにより、明示的に信号送出操作を行えるようになっている。
また、受信装置２に対する電源投入時、あるいは、受信チャンネルの切り替え時に、合成部２３に対して付加情報表示要求信号が自動的に送られるように設定することも可能である。
【００４６】
また、ユーザーは、指示入力部２５に設けられている関連情報出力取消ボタン（図示せず）の押下などにより、明示的に、付加情報表示要求信号の送信を取り消すことができる。また、受信装置２に内蔵タイマを設け、あらかじめ設定された時間が経過した後に、付加情報表示要求信号の送信を自動的に取り消すように設定することもできる。
【００４７】
ここで、本システムにおける付加情報について説明する。通常、テレビやラジオの放送は、番組という単位で時間的に区切られている。また、番組は、意味的にまとまりのあるシーンという単位で、より短い（細い）時区間に区切ることができるものである。
そして、本システムでは、放送装置１の付加情報出力部１２が、番組をシーンに分割し、各シーン毎に、各シーンに関連した情報（シーン関連情報）を付加情報として設定（作成）するようになっている。
【００４８】
シーン関連情報（ブロック情報）としては、例えば、各シーン（ブロック）と密接に関係した文字列や静止画，動画，ハイパーテキスト，マルチメディアドキュメント，数値，プログラム，データおよびこれらの組み合せ等を設定できる。なお、本システムでは、シーン関連情報として、各シーンの概要（あらすじ）を示す文字情報が付加されるとする。
【００４９】
次に、放送装置１から送信される多重放送信号（放送データ）の内容について説明する。図１は、この放送データの例を示す説明図である。この図に示すように、この例では、主情報として、ＳＡ，ＳＢ，ＳＣからなる３つのシーンを有する番組Ｘが放送されるように設定されている。なお、各シーンの放送順序は、ＳＡ，ＳＢ，ＳＣの順である。
【００５０】
また、放送装置１では、各シーンＳＡ，ＳＢ，ＳＣに、これらのシーンのあらすじを示す文字列からなるシーン関連情報Ａ，Ｂ，Ｃを多重させて放送するように設定されている。
【００５１】
そして、図１に示すように、放送装置１は、シーンＳＡを主情報として放送している間は、所定の時間毎に、シーン関連情報Ａを繰り返し多重化して放送するようになっている。従って、シーンＳＡが放送されている間は、受信装置２は、いつでもシーン関連情報Ａを取得できる。
さらに、シーンＳＢが放送されると、シーン関連情報Ａとシーン関連情報Ｂとの累積された情報が、付加情報として設定されるようになっている。これにより、シーンＳＢが放送されている間は、受信装置２は、いつでもシーン関連情報Ａ・Ｂを取得できるように設定されている。
【００５２】
ここで、放送装置１の放送方法を理解しやすくするために、図１に示すように、「ももたろう」という物語を放送する場合について具体的に説明する。
この番組において、「老人は山へ薪を集めに、老婆は川へ洗濯に行った」という部分をシーンＳＡ、「老婆の洗濯している川に、大きな桃が流れてきた」という部分をシーンＳＢ、「桃を持ち帰って割ると、中から桃太郎が出てきた」という部分をシーンＳＣとして設定しているとする。
【００５３】
そして、放送装置１において、シーンＳＡのシーン関連情報Ａとして「おじいさんは山へしばかりに、おばあさんは川へ洗濯に行きました」という説明文（文字列）を、シーンＳＢのシーン関連情報Ｂとして「おばあさんが川で選択をしていると大きな桃がドンブラコと流れてきました」という説明文を、シーンＳＣのシーン関連情報Ｃとして「桃を家に持ち帰って割ってみると中から桃太郎が出てきました」という説明文をそれぞれ設定しているとする。
【００５４】
そして、放送装置１は、シーンＳＡを放送している間、シーン関連情報Ａを多重化して放送する。これにより、シーン関連情報Ａが、主情報であるシーンＳＡに多重化され、繰り返し放送されることになる。
【００５５】
やがてシーンＳＡが終り、主情報がシーンＳＢとなったとする。このとき、放送装置１は、シーン関連情報Ａとシーン関連情報Ｂとを累積した情報を、付加情報として放送する。さらに、シーンＳＢが終わり、主情報がシーン関連情報ＳＣとなった場合、放送装置１は、シーン関連情報Ａ，シーン関連情報Ｂおよびシーン関連情報Ｃを全て累積した情報を、付加情報として放送する。
【００５６】
以上のように、本システムでは、放送装置１が、シーンが変わる度に、放送済みのシーンと現在放送中のシーンとの内容を示すシーン関連情報を累積して付加情報として設定するようになっている。そして、この付加情報を主情報に多重化して放送するように設定されている。
これにより、受信装置２のユーザーは、放送済みのシーンに関する情報を全て取得できるため、番組を途中から視聴した場合でも、番組の内容を確実に把握できるようになっている。
【００５７】
さらに、本システムでは、主情報とシーン関連情報との関連付けに、時刻情報を用いていない。このため、放送装置１が、以前に放送した番組を再放送する場合、番組の放送時刻を地域によってずらす場合、延長されたスポーツ中継や緊急ニュース等によって放送時刻が変更された場合等でも、同じシーン関連情報を付加情報として利用できる。
【００５８】
なお、本システムでは、シーンが変更される度に、付加情報となるシーン関連情報が累積していくように設定されている。このため、時間の経過につれて、付加情報のデータ量は大きくなる。そこで、番組が変わるときに、付加情報の内容をクリアするように設定することが好ましい。
【００５９】
すなわち、「ももたろう」の後に、「今日のニュース」という番組が放送されるとする。そして、「今日のニュース」の開始時、「ももたろう」の放送時に累積されていた付加情報をクリアし、あらためて「今日のニュース」の付加情報を累積していくように設定することが好ましい。
また、番組の途中であっても、放送装置１側の意志により、あるタイミングで付加情報をクリアし、再び空の状態から累積してゆくように設定してもよい。
【００６０】
また、本システムにおいて、放送装置１によって放送された番組を、主情報と付加情報とを多重化させて、ＶＴＲ（Video Tape Recorder ）や、ディスク型記録再生装置（ディスク装置）等の記録装置（蓄積装置）によって記録メディア（蓄積メディア；記録媒体）に録画することもできる。
【００６１】
そこで、以下では、記録メディアに録画された番組を再生する構成について述べる。図５は、放送装置１によって放送された番組を録画した記録メディアを再生するための、再生装置３を示す説明図である。
【００６２】
この図に示すように、再生装置３は、図３に示した受信装置２の構成において、受信アンテナ２０および受信部２１に代えて、読込部２８を備えた構成である。読込部２８は、磁気テープや磁気ディスク，光磁気ディスクなどの記録メディアに記録された、主情報と付加情報とが多重化されてなる放送データを読み取り、分離部２２に出力するものである。
なお、再生装置３における他の部材（分離部２２〜指示入力部２５）の処理は、受信装置２と同様である。この構成においても、受信装置２と同様に、各シーンにおけるシーン関連情報を出力させることが可能である。
【００６３】
〔実施の形態２〕
本発明の第２の実施形態について説明する。なお、本実施の形態では、上記した実施の形態１に示した部材と同様の機能を有する部材には同一の符号を付し、その説明を省略している。
【００６４】
本実施の形態にかかる放送システム（以下、本システムとする）は、図２に示すように、実施の形態１に示した放送システムの構成において、受信装置２に代えて受信装置４を備えており、放送装置１から送信される多重放送信号の内容が変更されているものである。
【００６５】
図６は、本システムにおける多重放送信号（放送データ）の内容の例を示す説明図である。この図に示すように、この例では、主情報として、ＳＡ，ＳＢ，ＳＣからなる３つのシーンを有する番組Ｘが放送されるように設定されている。なお、各シーンの放送順序は、ＳＡ，ＳＢ，ＳＣの順である。
【００６６】
また、本システムにおける放送装置１では、付加情報出力部１２が、シーン関連情報Ａ，Ｂ，Ｃに代えて、シーン識別子ａ〜ｃを付加情報として設定するようになっている。これらシーン識別子（第１識別子）ａ〜ｃは、番組Ｘにおける各シーン関連情報Ａ〜Ｃを特定するための識別情報（ポインタ）である。
【００６７】
そして、図１に示すように、放送装置１は、シーンＳＡを主情報として放送している間は、所定の時間毎に、シーン識別子ａを繰り返し多重化して放送するようになっている。従って、シーンＳＡが放送されている間は、受信装置４は、いつでもシーン識別子ａを取得できる。
【００６８】
さらに、シーンＳＢが放送にかかると、シーン識別子ａとシーン識別子ｂとの累積された情報が、付加情報として設定されるようになっている。これにより、シーンＳＢが放送されている間は、受信装置４は、いつでもシーン識別子ａ・ｂを取得できる。
すなわち、本システムでは、番組のどの時点においても、現在までに放送されたシーン（放送中のシーンも含む）におけるシーン識別子のリストを得ることができる。
【００６９】
また、図７は、本システムにおける受信装置４の構成を示す説明図である。この図に示すように、受信装置４は、図３に示した受信装置２の構成において、記憶部２６を新たに備えている構成である。
【００７０】
記憶部２６は、各シーン識別子ａ〜ｃと、図１に示したシーン関連情報Ａ〜Ｃとのシーン対応表を保持しているメモリーである。このシーン対応表は、番組Ｘを受信する前に放送装置１の多重送信部（概要情報送信部）１３から送信され、あらかじめ記憶部２６内に記憶されているものである。
図８は、このシーン対応表を示す説明図である。この図に示すように、シーン対応表では、シーン識別子ａ〜ｃとシーン関連情報Ａ〜Ｃとが対応されて記載されている。
【００７１】
すなわち、受信装置４では、合成部２３が、指示入力部２５から伝達される付加情報表示要求信号に基づいて、受信したシーン識別子に応じたシーン関連情報を記憶部２６から読み出すようになっている。そして、読み出したシーン関連情報を主情報と合成して得られる出力データを、出力部２４に伝達するように設定されている。
【００７２】
次に、図７に示した受信装置４の受信動作について説明する。
図９は、受信装置４における動作を示すフローチャートである。この図に示すように、受信装置４の受信部２１は、放送装置１から多重放送信号を受信すると、この信号のチャンネルデコードを行ってチャンネル信号を生成する（Ｓ７１）。その後、分離部２２が、多重化されているチャンネル信号を、主情報と付加情報とに分離する（Ｓ７２）。
【００７３】
そして、合成部２３が、指示入力部２５から伝達される付加情報表示要求信号の有無に従って、ユーザーから付加情報の表示要求があるか否かを判断する（Ｓ７３）。そして、付加情報表示要求信号が伝達されていない場合には、合成部２３は、主情報だけに応じた出力データを出力部２４に出力する（Ｓ７７）。
【００７４】
一方、付加情報表示要求信号が伝達されているときには、合成部２３は、付加情報として多重化されている、現在までに放送されたシーン（放送中のシーンも含む）におけるシーン識別子のリストを取得する（Ｓ７４）。
【００７５】
その後、合成部２３は、シーン対応表を用いて、取得したシーン識別子に応じたシーン関連情報を取得し（Ｓ７５）、取得したシーン関連情報と主情報とを合成して得られる出力データを出力部２４に出力する（Ｓ７６）。
【００７６】
ここで、実施の形態１と同様に、本システムにおける放送方法を、「ももたろう」という物語を放送する場合について具体的に説明する。上記したように、受信装置４における記憶部２６には、図８に示すシーン対応表があらかじめ用意されている。
【００７７】
また、図６に示すように、シーンＳＣまで放送された時点では、付加情報として、シーン識別子ａ〜ｃが主情報に多重されている。このとき、ユーザーから付加情報の表示要求があった場合、合成部２３は、受信したシーン識別子ａ〜ｃとシーン対応表とから、シーン関連情報Ａ〜Ｃを取得する。
【００７８】
そして、合成部２３は、これらシーン関連情報Ａ〜Ｃに基づいて、「おじいさんは山へしばかりに、おばあさんは川へ洗濯に行きました。おばあさんが川で洗濯をしていると、大きな桃がドンブラコと流れてきました。桃を家に持ち帰って割ってみると、中から桃太郎が出てきました。」という説明文を編集する。その後、合成部２３は、この説明文（付加情報）と主情報とを合成して得られる出力データを作成して、出力部２４に出力する。
【００７９】
以上のように、本システムでは、受信装置４が、各シーンに応じたシーン関連情報を記憶しておくようになっている。そして、放送装置１が、付加情報として、各シーン関連情報を特定するシーン識別子を送信するようになっている。これにより、シーン関連情報を直接に送信するシステムに比して、付加情報のデータ量を非常に少なくできる。
【００８０】
なお、本システムにおいて、放送装置１によって放送された番組を、主情報と付加情報とを多重化させて、ＶＴＲや、ディスク型記録再生装置等の記録装置によって記録メディアに録画することもできる。図１０は、放送装置１によって放送された番組を録画した記録メディアを再生するための再生装置５を示す説明図である。
【００８１】
この図に示すように、再生装置５は、図７に示した受信装置４の構成において、受信アンテナ２０および受信部２１に代えて、図５に示したものと同様の読込部２８を備えた構成である。このように構成することで、磁気テープや磁気ディスク，光磁気ディスクなどの記録メディアに記録された、主情報と付加情報とが多重化されてなる放送データを読み取り、出力部２４によって再生することが可能となる。この構成においても、受信装置４と同様に、各シーンにおけるシーン関連情報を出力させることが可能である。
【００８２】
〔実施の形態３〕
本発明の第３の実施形態について説明する。なお、本実施の形態では、上記した実施の形態１・２に示した部材と同様の機能を有する部材には同一の符号を付し、その説明を省略している。
【００８３】
本実施の形態にかかる放送システム（以下、本システムとする）は、図２に示すように、実施の形態１に示した放送システムの構成において、受信装置２に代えて受信装置６を備えている。
【００８４】
図１１は、受信装置６の構成を示す説明図である。この図に示すように、受信装置６は、図７に示した受信装置４の構成において、新たにネットワークＩ／Ｏ部２７を備えている構成である。
【００８５】
ネットワークＩ／Ｏ部（ネットワーク部）２７は、インターネットなどの外部ネットワークと記憶部２６とに接続されており、外部ネットワークの情報を記憶部２６にダウンロードする機能を有している。
【００８６】
また、本システムでは、放送装置１から、図６に示すような、主情報とシーン識別子とが合成された多重放送信号が送信されるように設定されている。さらに、本システムでは、放送装置１内に、放送中の番組におけるシーン関連情報を記憶している関連情報記憶部（概要情報記憶部；図示せず）が設けられている。そして、この関連情報記憶部が、外部ネットワークに接続されている。
【００８７】
そして、受信装置６では、ネットワークＩ／Ｏ部２７が、放送装置１における関連情報記憶部にアクセスし、シーン識別子に基づいて、関連情報記憶部からシーン関連情報を取得できるように設定されている。さらに、ネットワークＩ／Ｏ部２７が、取得したシーン関連情報を用いて、記憶部２６内に、シーン対応表を作成するようになっている。
【００８８】
次に、図１１に示した受信装置６の受信動作について説明する。
図１２は、受信装置６における動作を示すフローチャートである。この図に示すように、受信装置６の受信部２１は、放送装置１から多重放送信号を受信すると、この信号のチャンネルデコードを行ってチャンネル信号を生成する（Ｓ１０１）。その後、分離部２２が、多重化されているチャンネル信号を、主情報と付加情報とに分離する（Ｓ１０２）。
【００８９】
そして、合成部２３は、指示入力部２５から伝達される付加情報表示要求信号の有無に従って、ユーザーから付加情報の表示要求があるか否かを判断する（Ｓ１０３）。そして、付加情報表示要求信号が伝達されていない場合には、合成部２３は、主情報だけに応じた出力データを生成して出力部２４に出力する（Ｓ１０４）。
【００９０】
一方、付加情報表示要求信号が伝達されているときには、合成部２３は、付加情報として多重化されている、現在までに放送されたシーン（放送中のシーンも含む）におけるシーン識別子のリストを取得する（Ｓ１０５）。
【００９１】
その後、合成部２３は、取得したリストに含まれる全てのシーン識別子に応じたシーン関連情報が、記憶部２６におけるシーン対応表に含まれているか否かを判断する（Ｓ１０６）。そして、含まれていないシーン関連情報がある場合には、合成部２３は、ネットワークＩ／Ｏ部２７を制御して、そのシーン関連情報を、外部ネットワークを介して放送装置１における関連情報記憶部から取得させ、記憶部２６内のシーン対応表に記載させる（Ｓ１０８）。
【００９２】
そして、合成部２３は、シーン対応表を用いて、シーン識別子に応じたシーン関連情報を取得し（Ｓ１０７）、取得したシーン関連情報と主情報とを合成して得られる出力データを出力部２４に出力する（Ｓ１０９）。
【００９３】
以上のように、本システムでは、放送装置１に、外部ネットワークに接続され、シーン関連情報を記憶している関連情報記憶部が備えられている。そして、受信装置６に、外部ネットワークに接続可能なネットワークＩ／Ｏ部２７を設けている。これにより、受信装置６では、必要なシーン関連情報を、関連情報記憶部からいつでもダウンロードできるように設定されている。このため、受信装置６では、シーン対応表をあらかじめ記憶部２６に記憶していなくても、ユーザーの要求に応じてシーン関連情報を表示できるようになっている。
【００９４】
また、本システムでは、ネットワークＩ／Ｏ部２７が、取得したシーン関連情報に基づいて、記憶部２６にシーン対応表を作成するようになっている。これにより、同一のシーンに対するシーン関連情報の表示要求のあった場合、ネットワークを介した情報取得を行うことなく、シーン関連情報を表示できる。
【００９５】
さらに、本システムでは、放送装置１側（情報の供給者）で、関連情報記憶部の内容（各シーンに対するシーン関連情報の内容）を随時的に変更できる。これにより、受信装置６のユーザーに対し、最新のシーン関連情報を提供することが可能となっている。
なお、放送装置１では、シーン関連情報の内容を変更する場合、各シーン関連情報に対するシーン識別子も同時に変更することが好ましい。
【００９６】
また、本システムでは、放送装置１における関連情報記憶部に、図８に示したようなシーン対応表が記憶されているとしている。そして、放送装置１から送信される付加情報として、現在までに放送されたシーンにおけるシーン識別子のリストが設定されるとしている。
【００９７】
しかしながら、これに限らず、放送装置１における関連情報記憶部に、図１３に示すような、リスト識別子（第２識別子）Ｌ１〜Ｌ４とシーン識別子ａ〜ｄのリストとの対応表（リスト対応表）を記憶させておいてもよい。そして、図１４に示すように、付加情報出力部１２が、これらリスト識別子Ｌ１〜Ｌ３を付加情報として設定してもよい。
【００９８】
この構成では、受信装置６における合成部２３が、付加情報であるリスト識別子Ｌ１〜Ｌ３とリスト対応表とに基づいて、各シーンに応じたシーン識別子のリストを取得して記憶部２６に記憶し、その後、リストを用いてシーン関連情報を取得するように設定される。
【００９９】
この構成では、放送装置１によって多重化する付加情報の量（サイズ）を、常に一定にできるというメリットがある。一方、受信装置２には、識別子リストや関連情報を取得するために、コストおよび時間がかかるというデメリットが発生する。
【０１００】
また、本システムにおいて、放送装置１によって放送された番組を、主情報と付加情報とを多重化させて、ＶＴＲや、ディスク型記録再生装置等の記録装置によって記録メディアに録画することもできる。図１５は、放送装置１によって放送された番組を録画した記録メディアを再生するための再生装置７を示す説明図である。
【０１０１】
この図に示すように、再生装置７は、図１１に示した受信装置６の構成において、受信アンテナ２０および受信部２１に代えて、図５に示したものと同様の読込部２８を備えた構成である。このように構成することで、磁気テープや磁気ディスク，光磁気ディスクなどの記録メディアに記録された、主情報と付加情報とが多重化されてなる放送データを読み取り、出力部２４によって再生できる。
【０１０２】
また、本システムにおける再生装置として、図１０に示す再生装置５を用いてもよい。再生装置５を用いる場合には、記録メディア内に、付加情報と主情報とを多重化した放送データとともに、ネットワークを介して放送装置１の関連情報記憶部から取得されるシーン対応表（およびリスト対応表）を記憶するように設定される。そして、再生時、読込部２８が、記録メディアから読み出した放送データを分離部２２に、シーン対応表（およびリスト対応表）を記憶部２６に伝達することとなる。
【０１０３】
また、ここで、図２に示した放送システムにおける、放送装置１の動作について説明する。放送装置１は、所望のシーンをカットして番組を放送できるように設定されている。
【０１０４】
図１６は、放送装置１における放送処理の流れを示すフローチャートである。この図に示すように、放送の開始時、放送装置１における多重送信部１３が、番組を構成する各シーンに通し番号Ｉ（Ｉ＝１〜ｎ）を付し、各シーンの名称をシーンＳＩ（Ｉ＝０〜ｎ）と定める。そして、多重送信部１３は、放送にかかるシーン番号Ｉを０に設定するとともに、付加情報出力部１２が、シーンに多重させる付加情報（累積シーン関連情報ＲＰ）をクリアする（Ｓ１４１）。
【０１０５】
その後、多重送信部１３は、番組を構成するシーンを全て放送し終ったか否かを判断する（Ｓ１４２）。そして、放送し終えていない場合には、シーン番号Ｉをインクリメント（１つ増加）する（Ｓ１４３）。
【０１０６】
その後、多重送信部１３は、シーンＳＩを放送するか否かを判断し、このシーンをカットして放送しないと判断した場合には、処理をＳ１４３に戻す（Ｓ１４４）。一方、実際に放送する場合は、付加情報出力部１２が、シーンＳＩに対応したシーン関連情報ＲＩを取得し（Ｓ１４５）、現在までに累積されている累積シーン関連情報ＲＰに追加し、この累積シーン関連情報ＲＰを付加情報として多重送信部１３に出力する（Ｓ１４６）。
【０１０７】
そして、多重送信部１３が、シーンＳＩと累積シーン関連情報ＲＰとを多重化して放送データを生成し、これを放送（送信）してＳ１４２に戻る（Ｓ１４７）。なお、Ｓ１４７において、多重送信部１３は、実際に放送せず、多重化した放送データの生成のみを行って、番組全体を編集するだけに停めてもよい。
【０１０８】
また、実施の形態１では、シーン関連情報として、各シーンの概要（あらすじ）を示す文字情報を設定している。そして、番組の進行に応じて、シーン関連情報を累積し、付加情報として送信するように設定されている。
【０１０９】
しかしながら、これに限らず、図１７に示すように、各シーンにおける付加情報として、放送済みのシーンおよび放送中のシーンのあらすじ（それまでのあらすじ）を示す文字情報を送信するようにしてもよい。
【０１１０】
この方法では、シーンＳＡを放送している間は、シーンＳＡを含んだ放送済みシーンのあらすじを全て付加情報ＣＡとして多重化して放送するようになる。次に、シーンＳＢに切り替わると、シーンＳＢを含めた放送済みのシーンにおけるあらすじを、付加情報ＣＢとして多重化するように設定される。さらに、シーンＳＣに切り替わると、シーンＳＣを含めた放送済みのシーンにおけるあらすじを、付加情報ＣＣとして多重化するように設定される。
【０１１１】
この方法では、放送中の番組におけるあらすじを非常に単純に示すことができる。この場合、放送装置１側で番組を編集し、シーンカットや新たなシーンの挿入を行なう度に、シーンに対応した付加情報を作成し直すことが好ましい。
【０１１２】
また、実施の形態１〜３では、放送装置１を、アナログ方式の地上波放送によってテレビ放送を行うための装置であるとしている。しかしながら、これに限らず、放送装置１を、衛星放送あるいはケーブル放送における放送装置として設定してもよい。また、ラジオ放送等を行うための装置として用いてもよい。
【０１１３】
また、放送装置１を、デジタル方式の放送装置として設定してもよい。この場合、放送装置１の典型的な基本動作は以下のようになる。すなわち、放送装置１は、主情報となる映像信号や音声信号およびデータを、例えば、ＭＰＥＧ（Motion Picture Experts Group）に規定される情報源符号化方法に従って符号化する。そして、符号化した主情報と付加情報とを、ＭＰＥＧシステムの規格書、もしくは、欧州のデジタル放送規格であるＤＶＢのシステム規格書に従って多重化する。
【０１１４】
また、実施の形態１〜３では、放送データは、少なくともチャンネル主情報と付加情報との２つが多重化されたものである。主情報とは、テレビ放送では、映像および音声情報のことである。また、実施の形態２・３に示した記憶部２６は、付加情報によって得られる現在までに放送されたシーンの識別子のリストと、シーン識別子とシーン関連情報との対応表を保持するように設定されていてもよい。
【０１１５】
また、実施の形態１に示したシステムでは、シーンが変わる度に今までの付加情報に累積して新しい付加情報を累積して放送することで、番組を途中から閲覧してもそれまでの付加情報を全て取得できる。また、付加情報としてシーン関連データを直接送信しているため、シーンの概要がシーン関連データであった場合、途中から番組を閲覧してもそれまでに放映されたシーンの概略すべてをその場で取得できるので番組の理解が容易になる。
【０１１６】
また、実施の形態３に示したシステムでは、記憶部はあらかじめシーン識別子とそれに関連するデータとの表を保持しておく必要がないといえる。また、入力部から付加情報出力要求があった場合に外部ネットワークを介してオンデマンドにシーン関連情報を取得できる。また、一度取得したデータを保持しておけば、次回からはネットワークに接続することなく要求されたデータを出力できる。
【０１１７】
さらに、実施の形態３に示したシステムでは、情報の供給者は、ネットワーク上のシーン関連情報を随時変更してゆくことで、最新の情報を受信者に提供できる。すなわち受信者に直接送られる付加情報は、シーンの関連情報へのポインタとして扱えるため、過去に放送されたシーンのシーン関連情報を変更せねばならない場合にも対応できるといえる。
【０１１８】
また、実施の形態２に示した放送システムでは、付加情報は単なるポインタ（シーン関連情報へのポインタ）が累積したものであるといえる。また、実施の形態３に示した放送システムでは、付加情報が、シーン関連情報へのポインタのリストヘのポインタであると表現することもできる。
【０１１９】
また、図１３および図１４を用いて示した放送放送は、付加情報とシーン識別子リストとがネットワークの先にあり、付加情報として、シーン識別子リストヘのポインタを放送する方法であると表現することもできる。
【０１２０】
また、本発明は、情報送信方法および情報受信装置にかかり、特に付加情報が付加されて送信局から送信されるテレビジョン放送およびラジオ放送の放送方法および受信方法に関するものであるともいえる。また、本発明の第一の目的は、番組を途中から視聴した場合でも、その番組のあらすじを短期間で知ることのできるシステムを提供することにあるともいえる。
【０１２１】
また、特開平７−１５３９３号公報に記載の技術において、遅延記憶回路の記憶容量を大きくし、放送される全てのチャンネルを常時蓄積すれば、見逃した部分を視聴できる。しかしながら、この方法ではコストがかかり、また見逃した部分を全て見なければならず、リアルタイム性の強い番組において実用的でないといえる。
【０１２２】
そして、本発明は、上記の公報に記載の技術に比して、以下のようなメリットがある。すなわち、受信機側でメモリバッファを用意しておく必要がない。また、受信機側で電源を切っていたとき（バッファリングしていないとき）のものも復元できる。また、全チャンネル、任意の区間についての復元を上記公報の技術を用いて受信機側でやろうとすると、（ギガステーションのように）チューナもチャンネル数分必要であり、メモリバッファの容量も必要でコストがかかる。また、単にデータを累積することで付加情報を作成しているので、主情報を編集して再放送する場合などの送信側のコストが低い。
【０１２３】
また、本発明の目的は、受信側で番組を途中から視聴してもそれまでに見逃した部分のあらすじや関連情報などを付加情報として全て取得でき、かつ送信側では番組を編集したために任意のシーンが挿入あるいは削除された場合でも付加情報の製作コストを抑えることであるともいえる。
【０１２４】
また、本発明では、まず、送信側が、シーン毎にそのシーンのあらすじを用意しており、次に、シーンが変わる度に、それまでのあらすじを累積して付加情報として多重化するようにしてもよい。この場合、ユーザーの要求に応じてこの付加情報を再生し、ユーザーは個々のシーンのあらすじの累積としてそれまでのあらすじを知ることができる。累積付加情報は常時送られてくるので、受信装置に大きな記憶装置を用意しておく必要はない。また送信側でダイジェスト版などを作成する場合・付加情報の編集はシーン単位で機械的に行なわれる。
【０１２５】
また、本発明を、以下の第１〜第６の送信方法、および、第１〜第４の受信装置として表現することもできる。
すなわち、第１の送信方法（実施形態１に関する送信方法）は、チャンネル主情報とチャンネル主情報に関連した付加情報とを送信する方法であって、チャンネル主情報の所定の時間幅毎に付加情報を累積して送信する方法である。
【０１２６】
また、第２の送信方法は、第１の送信方法において、前記累積して送信される付加情報が、シーン関連情報へのポインタである方法である。
【０１２７】
また、第３の送信方法（実施形態２の送信方法）は、第２の送信方法において、あらかじめシーン関連情報を受信装置側に用意しておく方法である。
【０１２８】
また、第４の送信方法（実施形態３の送信方法）は、第２の送信方法において、シーン関連情報を受信装置が接続可能なネットワーク上に用意しておく方法である。
【０１２９】
また、第５の送信方法（実施形態４の送信方法）は、チャンネル主情報と、チャンネル主情報に関連した付加情報とを送信する方法であって、チャンネル主情報の所定の時間幅毎に付加情報を更新して送信し、かつ前記付加情報が実質付加情報へのポインタであって、前記実質付加情報が前記主チャンネルの各時間幅毎に対応して累積されたシーン関連情報情報へのポインタであることを特徴とする方法である。
【０１３０】
また、第６の送信方法は、第１〜第４の送信方法において、前記累積して送信される付加情報が、所定のタイミングでクリアされる方法である。
【０１３１】
また、第１の受信装置は、第１の送信方法で送信されたチャンネル主情報と付加情報とを受信する受信装置であって、チャンネル主情報あるいは、チャンネル主情報と付加情報を出力する手段と、チャンネル主情報と付加情報とを分離する手段と、ユーザーの付加情報出力要求を入力する手段と、前記ユーザー入力がない場合はチャンネル主情報のみを出力し、ユーザー入力がある場合はチャンネル主情報と付加情報を合成して出力する機能を備えている構成である。
【０１３２】
また、第２の受信装置は、第３の送信方法で送信されたチャンネル主情報と付加情報とを受信する受信装置であって、チャンネル主情報あるいは、チャンネル主情報と付加情報とを出力する手段と、チャンネル主情報と付加情報とを分離する手段と、実質的な付加情報を記憶する手段と、ユーザーの付加情報出力要求を入力する手段と、前記ユーザー入力がない場合はチャンネル主情報のみを出力し、ユーザー入力がある場合はポインタにもとづき累積されたシーン関連情報を取得し、チャンネル主情報と累積されたシーン関連情報とを合成して出力する機能を備えている構成である。
【０１３３】
また、第３の受信装置は、第４の送信方法で送信されたチャンネル主情報と付加情報とを受信する受信装置であって、チャンネル主情報あるいは、チャンネル主情報と付加情報とを出力する手段と、チャンネル主情報と付加情報とを分離する手段と、シーン関連情報を記憶する手段と、ネットワークに接続する手段と、ユーザーの付加情報出力要求を入力する手段と、前記ユーザー入力がない場合はチャンネル主情報のみを出力し、ユーザー入力がある場合はポインタにもとづき累積されたシーン関連情報をネットワークに接続する手段を介して取得し、チャンネル主情報と累積されたシーン関連情報とを合成して出力する機能を備えている構成である。
【０１３４】
また、第４の受信装置は、第５の送信方法で送信されたチャンネル主情報と付加情報とを受信する受信装置であって、チャンネル主情報あるいは、チャンネル主情報と付加情報とを出力する手段と、チャンネル主情報と付加情報とを分離する手段と、シーン関連情報を記憶する手段と、ネットワークに接続する手段と、ユーザーの付加情報出力要求を入力する手段と、前記ユーザー入力がない場合は、チャンネル主情報のみを出力し、ユーザー入力がある場合はポインタにもとづき実質的付加情報をネットワークに接続する手段を介して取得し、前記実質的付加情報に基づいて累積されたシーン関連情報をネットワークに接続する手段を介して取得し、チャンネル主情報と累積されたシーン関連情報とを合成して出力する機能を備えている構成である。
【０１３５】
これら第１〜第６の送信方法および第１〜第４の受信装置によれば、シーン毎にシーン関連情報を設定し、その時点までに放送したシーンのシーン関連情報を全て累積し付加情報として多重化して放送することで、例えば現在までに放送されたシーンのみに関する情報を提示するなどより細かい単位での番組関連情報の提示を制御できる。
【０１３６】
さらに、主情報とシーン関連情報との関連付けには時間情報を用いていないため、放送局が以前放送した番組を再放送したり、同じ番組の放送時刻を地域によってずらしたり、延長されたスポーツ中継や緊急ニュースなどによって放送時刻がずれた場合でも同じ付加情報を利用できる。
【０１３７】
また、放送番組を録画したデータを再生した場合でも、実際の放送を見ているときと同じようにその時点以前のシーンのシーン関連情報だけを提示することができる。さらに、多重化する付加情報を、シーン関連情報へのポインタにすることで、放送データ量を小さくできる。
【０１３８】
さらに、多重化された付加情報であるポインタの指すシーン関連情報を受信装置がアクセス可能なネットワーク上に置くことで、あらかじめシーン関連情報を用意しておく必要がなくなり、必要なときだけにシーン関連情報をダウンロードすることができる。
【０１３９】
さらに、その時点で放送されたシーンのリストをネットワーク上に置き、そのリストヘのポインタを付加情報として多重化する方法により、多重化する付加情報の量を常に一定保つことができる。また、送信側においては、放送番組を編集し、任意のシーンを挿入もしくは削除した場合でも、付加情報の編集はシーン単位で機械的に行なうことができる。
【０１４０】
【発明の効果】
以上のように、本発明の送信装置（本送信装置）は、主情報と付加情報とを多重させて受信装置に送信する送信装置において、主情報における送信済みの部分に応じた付加情報を、主情報に多重させて送信する送信部を有している構成である。
【０１４１】
本送信装置では、主情報における送信済み部分に関する情報を、付加情報として受信装置に与えるように設定されている。このため、受信装置のユーザーは、ある一連の通信内容（番組）を途中から受信（視聴）した場合でも、その内容を把握できるようになっている。
【０１４２】
また、本送信装置の送信部は、主情報をブロック化するブロック化部と、主情報の各ブロックに応じたブロック情報を設定（作成）するブロック情報設定部と、主情報における送信済みブロックにおけるブロック情報を累積した情報を付加情報として設定する付加情報設定部とを有していることが好ましい。この構成では、ブロック化部が、主情報をブロック化するように設定されている。このブロック化は、例えば、主情報の内容や送信時刻に基づいて行うことができる。
【０１４３】
さらに、この構成では、ブロック情報設定部が、各ブロックに応じたブロック情報をあらかじめ作成しておくようになっている。そして、付加情報設定部が、送信済みブロックにおけるブロック情報を累積して付加情報とし、現在送信中の主情報に多重させて送信するように設定されている。
【０１４４】
すなわち、この構成では、付加情報設定部が、送信済みのブロックにおけるブロック情報を集めるだけで、付加情報を設定できるようになっている。これにより、本送信装置では、主情報の送信済みの部分に関する付加情報を非常に容易に作成できる。
【０１４５】
また、付加情報設定部は、所定のタイミングで、送信済みのブロックにおける一部あるいは全部のブロック情報を、付加情報から削除するように設定されていることが好ましい。ここで、所定のタイミングとしては、例えば、一連の通信（番組等）が終了したとき、あるいは１日の通信が終了したとき等を挙げることができる。
また、この構成におけるブロック情報としては、例えば、各ブロックの内容を簡単にまとめた概要情報（あらすじの情報）を挙げることができる。
【０１４６】
また、上記したような構成の本送信装置に対応する受信装置としては、主情報および付加情報を出力可能な出力部と、この出力部を制御して、主情報および付加情報を出力させる制御部とを備えているものを用いることができる。また、この受信装置と本送信装置とを組み合わせることで、良好な通信システム（放送システム）を構築することが可能となる。
【０１４７】
また、本送信装置の構成において、各ブロックの概要を示す概要情報をあらかじめ受信装置に送信しておいてもよい。この場合、ブロック情報としては、送信済みのブロックにおける概要情報を特定するための識別子（第１識別子）を設定することが好ましい。このようにすれば、主情報に多重させる付加情報（ブロック情報）のサイズを小さくできる。
【０１４８】
なお、この構成に対応する受信装置としては、主情報および付加情報を出力（表示）可能な出力部と、各ブロックの概要を示す概要情報を記憶するための記憶部と、この記憶部を制御して、付加情報として送信された第１識別子に応じた概要情報を取得し、主情報とともに出力部に出力させる制御部とを備えているものを用いることができる。また、この受信装置と本送信装置とを組み合わせることで、良好な通信システムを構築することが可能となる。
【０１４９】
また、受信装置の接続可能なネットワーク上に、各ブロックの概要を示す概要情報を記憶している概要情報記憶部を備えるようにしてもよい。この場合も、ブロック情報設定部は、各ブロックの概要情報を特定するための第１識別子をブロック情報として設定することが好ましい。この構成においても、主情報に多重させる付加情報のサイズを小さくできる。また、各ブロックの概要を示す概要情報を、あらかじめ受信装置に送信しておく必要がない。
【０１５０】
また、この構成に対応する受信装置としては、主情報および付加情報を出力可能な出力部と、ネットワークを介して上記概要情報記憶部に接続可能なネットワーク部と、このネットワーク部を制御して、付加情報として送信された第１識別子に応じた概要情報を概要情報記憶部から取得させ、主情報とともに出力部に出力させる制御部とを備えているものを挙げることができる。また、この受信装置と本送信装置とを組み合わせることで、良好な通信システムを構築することが可能となる。
【０１５１】
また、本送信装置の送信部に、主情報をブロック化するブロック化部と、受信装置の接続可能なネットワーク上に備えられ、主情報における各ブロックの概要を示す概要情報と各ブロックの概要情報を特定するための第１識別子とが記憶されている概要情報記憶部と、送信済みのブロックにおける概要情報に応じた第１識別子を特定する第２識別子を付加情報として設定する付加情報設定部とを備えるようにしてもよい。
【０１５２】
上記の構成では、送信済みのブロックが多い場合、第１識別子の数も多くなる。このため、第１識別子をそのまま付加情報として用いると、付加情報のサイズが大きくなってしまう。そこで、上記の構成では、送信済みのブロックの概要情報に応じた第１識別子の群を特定するための第２識別子を付加情報として用いている。これにより、主情報に多重させる付加情報のサイズを、より小さく、かつ、一定に保つことが可能となる。
【０１５３】
なお、この構成に対応する受信装置としては、主情報および付加情報を出力可能な出力部と、概要情報記憶部に接続可能なネットワーク部と、このネットワーク部を制御して、付加情報として送信された第２識別子に応じた第１識別子を概要情報記憶部から取得させた後、この第１識別子に応じた概要情報を取得させ、取得した概要情報を主情報とともに出力部に出力させる制御部とを備えているものを挙げることができる。また、この受信装置と本送信装置とを組み合わせることで、良好な通信システムを構築することが可能となる。
【０１５４】
また、本発明の送信方法（本送信方法）は、主情報と付加情報とを多重させて受信装置に送信する送信方法において、主情報における送信済みの部分に応じた付加情報を、主情報に多重させて送信する送信工程を有している方法である。
【０１５５】
本送信方法は、上記した本送信装置において用いられている送信方法である。すなわち、本送信方法によれば、主情報の送信済み部分に関する情報を、付加情報として受信装置に与えるように設定されている。このため、受信装置のユーザーは、ある一連の通信内容を途中から受信した場合でも、その内容を把握できるようになっている。
【０１５６】
また、本送信方法の送信工程は、主情報をブロック化するブロック化工程と、主情報の各ブロックに応じたブロック情報を設定するブロック情報設定工程と、主情報における送信済みのブロックにおけるブロック情報を累積して付加情報として設定する付加情報設定工程とを含んでいることが好ましい。
この方法では、付加情報設定工程において、送信済みのブロックにおけるブロック情報を集めるだけで、付加情報を設定できるようになっている。これにより、主情報における送信済みの部分に関する付加情報を、非常に容易に作成することが可能となる。
【図面の簡単な説明】
【図１】本発明の第１の実施形態にかかる放送システムにおける、多重放送信号の内容を示す説明図である。
【図２】上記した放送システムの構成を示す説明図である。
【図３】図２に示した放送システムにおける受信装置の構成を示す説明図である。
【図４】図３に示した受信装置の動作を示すフローチャートである。
【図５】図１に示した多重放送信号を録画した記録メディアを再生する再生装置を示す説明図である。
【図６】本発明の第２の実施形態にかかる放送システムにおける、多重放送信号の内容を示す説明図である。
【図７】上記した放送システムにおける受信装置の構成を示す説明図である。
【図８】図７に示した受信装置における記憶部に記憶されているシーン対応表を示す説明図である。
【図９】図７に示した受信装置の動作を示すフローチャートである。
【図１０】図６に示した多重放送信号を録画した記録メディアを再生する再生装置を示す説明図である。
【図１１】本発明の第３の実施形態にかかる放送システムにおける、受信装置の構成を示す説明図である。
【図１２】図１１に示した受信装置の動作を示すフローチャートである。
【図１３】上記した放送システムにおける放送装置に記憶されているリスト対応表を示す説明図である。
【図１４】上記した放送システムにおける、多重放送信号の内容を示す説明図である。
【図１５】上記した放送システムにおける多重放送信号を録画した記録メディアを再生する再生装置を示す説明図である。
【図１６】図２に示した放送システムの放送装置における放送処理の流れを示すフローチャートである。
【図１７】上記した放送システムにおける、他の多重放送信号の内容を示す説明図である。
【符号の説明】
１                  放送装置（送信装置，送信部）
２，４，６          受信装置
３，５，７          再生装置
１１                主情報出力部
１２                付加情報出力部（ブロック化部，ブロック情報設定部，付加情報設定部）
１３                多重送信部（概要情報送信部）
２０                受信アンテナ
２１                受信部
２２                分離部
２３                合成部（制御部）
２４                出力部
２５                指示入力部
２６                記憶部
２７                ネットワークＩ／Ｏ部（ネットワーク部）
２８                読込部
ＳＡ，ＳＢ，ＳＣ    シーン（ブロック）
Ａ，Ｂ，Ｃ          シーン関連情報（概要情報）
ａ，ｂ，ｃ          シーン識別子（第１識別子）
Ｌ１〜Ｌ３          リスト識別子（第２識別子）
【図１】
0004312347.tif 000002
【図２】
0004312347.tif 000003
【図３】
0004312347.tif 000004
【図４】
0004312347.tif 000005
【図５】
0004312347.tif 000006
【図６】
0004312347.tif 000007
【図７】
0004312347.tif 000008
【図８】
0004312347.tif 000009
【図９】
0004312347.tif 000010
【図１０】
0004312347.tif 000011
【図１１】
0004312347.tif 000012
【図１２】
0004312347.tif 000013
【図１３】
0004312347.tif 000014
【図１４】
0004312347.tif 000015
【図１５】
0004312347.tif 000016
【図１６】
0004312347.tif 000017
【図１７】
0004312347.tif 000018